(57)【要約】【課題】  天板と側板との隙間が外部に現れず、天板を取外し可能に強固に取り付けることができる外装ケースを提供する。【解決手段】  一対の側板６の内面で天板８の下面両側の下側に位置する箇所に取り付けられたほぼ楔形状の係止凹部１６を有する固定部材１５と、天板８の下面両側に取り付けられて固定部材１５の係止凹部１６にスライド可能に嵌合するほぼ楔形状の嵌合部１９を有する係合部材１８と、一対の側板６の上部に取り付けられて天板８の両側端部をガイドする化粧部２１を有する目隠し部材２０とを備えた。従って、一対の側板６の上部に天板８をスライドさせて取り付けるときに、目隠し部材２０の化粧部２１によって天板８の両側端部をガイドしながら、天板８の係合部材１７の嵌合部１８を固定部材１５の係止凹部１６に面接触状態で確実に嵌合させることができると共に、目隠し部材２０の化粧部２１によって天板８と側板６との隙間を隠すことができる。【選択図】        図１０
2006350056.tif 000002
【特許請求の範囲】
【請求項１】
左右一対の側板と、この一対の側板の後部に取り付けられた背板と、前記一対の側板の上部に取り付けられた天板とを有する外装ケースにおいて、
ほぼ楔形状の係止凹部を有する固定部材と、この固定部材の前記係止凹部にスライド可能に嵌合するほぼ楔形状の嵌合部を有する係合部材とを備え、
前記固定部材と前記係合部材との一方を前記一対の側板の互いに対向する内面における前記天板の下面両側の下側に位置する箇所にそれぞれ取り付け、前記固定部材と前記係合部材との他方を前記天板の下面両側にそれぞれ取り付けたことを特徴とする外装ケース。
【請求項２】
左右一対の側板と、この一対の側板の後部に取り付けられた背板と、前記一対の側板の上部に取り付けられた天板とを有する外装ケースにおいて、
ほぼ楔形状の係止凹部を有する固定部材と、この固定部材の前記係止凹部にスライド可能に嵌合するほぼ楔形状の嵌合部を有する係合部材と、前記天板の両側端部をガイドする化粧部を有する目隠し部材とを備え、
前記固定部材と前記係合部材との一方を前記一対の側板の互いに対向する内面における前記天板の下面両側の下側に位置する箇所にそれぞれ取り付け、前記固定部材と前記係合部材との他方を前記天板の下面両側にそれぞれ取り付け、前記目隠し部材を前記一対の側板の上部にそれぞれ取り付けた
ことを特徴とする外装ケース。
【請求項３】
前記一対の側板の互いに対向する内面に取り付けられる前記固定部材は、金属板を断面ほぼコ字状に折り曲げることにより前記係止凹部が形成され、この係止凹部の上辺部がほぼ水平に形成され、下辺部が前部側から後部側に向けて斜め下方に傾斜して形成され、
前記天板の下面に取り付けられる前記係合部材は、金属板の一側部に前記嵌合部がほぼ垂直下方に折り曲げられ、この嵌合部の下辺部が前記固定部材の前記係止凹部における前記下辺部と同じ傾斜で前部側から後部側に向けて斜め下方に傾斜して形成されている
ことを特徴とする請求項１または２に記載の外装ケース。
【請求項４】
前記天板の下面に取り付けられる前記固定部材は、金属板の一側部に断面ほぼコ字状の前記係止凹部が形成され、この係止凹部の上辺部が前記天板の下面と平行に形成され、下辺部が前部側から後部側に向けて斜め上方に傾斜して形成され、
前記一対の側板の互いに対向する内面に取り付けられる前記係合部材は、金属板の上辺部がぼぼ水平に折り曲げられ、この水平に折り曲げられた先端部に前記嵌合部がほぼ垂直下方に折り曲げられ、この嵌合部の下辺部が前記固定部材の前記係止凹部における前記下辺部と同じ傾斜で前部側から後部側に向けて斜め上方に傾斜して形成されている
ことを特徴とする請求項１または２に記載の外装ケース。
【請求項５】
前記一対の側板の互いに対向する各内面には、前記固定部材が挿入して取り付けられる座ぐり部が、前記固定部材の取付位置から後端面に亘って設けられ、
前記係合部材の前記嵌合部は、前記天板の下面両側から側方に突出して前記座ぐり部内に挿入され、前記天板を前記一対の側板の上部にスライドさせて取り付けるときに、前記座ぐり部内をスライドして前記固定部材の前記係止凹部に嵌合する
ことを特徴とする請求項１〜３のいずれかに記載の外装ケース。
【請求項６】
前記一対の側板の互いに対向する各内面には、前記係合部材が挿入して取り付けられる座ぐり部が、前記係合部材の取付位置から後端面に亘って設けられ、
前記固定部材の前記係止凹部は、前記天板の下面両側から側方に突出して前記座ぐり部内に挿入され、前記天板を前記一対の側板の上部にスライドさせて取り付けるときに、前記座ぐり部内をスライドして前記係合部材の前記嵌合部が嵌合する
ことを特徴とする請求項１、２、４のいずれかに記載の外装ケース。
【発明の詳細な説明】
【技術分野】
【０００１】
この発明は、鍵盤楽器や家具などに用いられる外装ケースに関する。
【背景技術】
【０００２】
一般に、電子ピアノなどの外装ケースである楽器ケースは、底板と、この底板の前部に取り付けられた下前板と、底板の左右両側にそれぞれ取り付けられた一対の側板と、この一対の側板の後部に取り付けられた背板と、一対の側板の上部に取り付けられた天板とを有し、これらで囲われた内部に鍵盤装置などの電子ピアノに必要な各種の部品が組み込まれるように構成されている。
【０００３】
このような楽器ケースにおいては、天板や側板の表面に取付ねじやその目隠しキャップが現れないように、天板を取外し可能に強固に取り付ける必要がある。このような要望に応えて、従来の楽器ケースでは、特許文献１に記載されているように、天板の下面における前部両側に、後部側に向けて開放された係合凹部を有するフック状の固定部材を設け、この固定部材の係合凹部を一対の側板の各内面にそれぞれ設けられた各ピンに係合させると共に、天板の下面後部に設けられた付木に背板をねじ止めするように構成したものがある。
【特許文献１】実開平６−４７９９２号
【発明の開示】
【発明が解決しようとする課題】
【０００４】
しかしながら、このような従来の楽器ケースでは、天板や側板の表面に取付ねじやその目隠しキャップが現れずに、天板を取外し可能に取り付けることができても、天板に取り付けられた固定部材の係止凹部が後部側に向けて開放されたほぼＶ字形状に形成され、この固定部材の係止凹部を側板に設けられたピンに係合させる構成であるから、ピンと係止凹部とが点接触状態で係合するため、ピンと係止凹部との互いに接触する一部分に応力が集中することになる。このため、ピンと係止凹部とに高い強度が要求され、ピンと係止凹部とを大きく形成しなければ、十分な強度を確保することができないという問題がある。
【０００５】
また、このような従来の楽器ケースでは、一対の側板の上部間に天板を挟み付けて取り付けるときに、天板と側板との間に隙間が生じ、デザイン性が損なわれることがある。特に、修理や保守点検の際には、天板を容易に取り外す必要があるため、組立時に天板と側板との間に隙間が生じていなくても、経年変化により天板や側板が変形して、修理や保守点検時に再度組立直すときに、天板と側板との間に隙間が生じる恐れがある。
【０００６】
この発明が解決しようとする第１の課題は、面接触により応力の集中を防ぎ、固定部材および係合部材をコンパクトに形成しても、十分な強度を確保でき、これにより天板を取外し可能に強固に取り付けることができる外装ケースを提供することである。
また、この発明の第２の課題は、天板と側板との間の隙間が外部に現れず、天板を取外し可能に強固に取り付けることができる外装ケースを提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図１３に示すように、左右一対の側板（６）と、この一対の側板の後部に取り付けられた背板（７）と、前記一対の側板の上部に取り付けられた天板（８）とを有する外装ケース（楽器ケース１）において、
ほぼ楔形状の係止凹部（１６、３１）を有する固定部材（１５、３０）と、この固定部材の前記係止凹部にスライド可能に嵌合するほぼ楔形状の嵌合部（１９、３３）を有する係合部材（１８、３２）とを備え、
前記固定部材と前記係合部材との一方を前記一対の側板の互いに対向する内面における前記天板の下面両側の下側に位置する箇所にそれぞれ取り付け、前記固定部材と前記係合部材との他方を前記天板の下面両側にそれぞれ取り付けたことを特徴とする外装ケースである。
【０００９】
請求項２に記載の発明は、図１〜図１３に示すように、左右一対の側板（６）と、この一対の側板の後部に取り付けられた背板（７）と、前記一対の側板の上部に取り付けられた天板（８）とを有する外装ケース（楽器ケース１）において、
ほぼ楔形状の係止凹部（１６、３１）を有する固定部材（１５、３０）と、この固定部材の前記係止凹部にスライド可能に嵌合するほぼ楔形状の嵌合部（１９、３３）を有する係合部材（１８、３２）と、前記天板の両側端部をガイドする化粧部（２１）を有する目隠し部材（２０）とを備え、
前記固定部材と前記係合部材との一方を前記一対の側板の互いに対向する内面における前記天板の下面両側の下側に位置する箇所にそれぞれ取り付け、前記固定部材と前記係合部材との他方を前記天板の下面両側にそれぞれ取り付け、前記目隠し部材を前記一対の側板の上部にそれぞれ取り付けたことを特徴とする外装ケースである。
【００１０】
請求項３に記載の発明は、図１〜図１０に示すように、前記一対の側板の互いに対向する内面に取り付けられる前記固定部材（１５）は、金属板を断面ほぼコ字状に折り曲げることにより前記係止凹部（１６）が形成され、この係止凹部の上辺部（１６ａ）がほぼ水平に形成され、下辺部（１６ｂ）が前部側から後部側に向けて斜め下方に傾斜して形成され、前記天板の下面に取り付けられる前記係合部材（１８）は、金属板の一側部に前記嵌合部（１９）がほぼ垂直下方に折り曲げられ、この嵌合部の下辺部（１９ｂ）が前記固定部材の前記係止凹部における前記下辺部と同じ傾斜で前部側から後部側に向けて斜め下方に傾斜して形成されていることを特徴とする請求項１または２に記載の外装ケースである。
【００１１】
請求項４に記載の発明は、図１１〜図１３に示すように、前記天板（８）の下面に取り付けられる前記固定部材（３０）は、金属板の一側部に断面ほぼコ字状の前記係止凹部（３１）が形成され、この係止凹部の上辺部（３１ａ）が前記天板の下面に平行に形成され、下辺部（３１ｂ）が前部側から後部側に向けて斜め上方に傾斜して形成され、前記一対の側板（６）の互いに対向する内面に取り付けられる前記係合部材（３２）は、金属板の上辺部がぼぼ水平に折り曲げられ、この水平に折り曲げられた先端部に前記嵌合部（３３）がほぼ垂直下方に折り曲げられ、この嵌合部の下辺部（３３ｂ）が前記固定部材の前記係止凹部における前記下辺部と同じ傾斜で前部側から後部側に向けて斜め上方に傾斜して形成されていることを特徴とする請求項１または２に記載の外装ケースである
【００１２】
請求項５に記載の発明は、図１〜図１０に示すように、前記一対の側板（６）の互いに対向する各内面に、前記固定部材（１５）が挿入して取り付けられる座ぐり部(座ぐり溝１４)が、前記固定部材の取付位置から後端面に亘って設けられ、前記係合部材（１８）の前記嵌合部（１９）が、前記天板（８）の下面両側から側方に突出して前記座ぐり部内に挿入され、前記天板を前記一対の側板の上部にスライドさせて取り付けるときに、前記座ぐり部内をスライドして前記固定部材の前記係止凹部（１６）に嵌合することを特徴とする請求項１〜３のいずれかに記載の外装ケースである。
【００１３】
請求項６に記載の発明は、図１１〜図１３に示すように、前記一対の側板（６）の互いに対向する各内面に、前記係合部材（３２）が挿入して取り付けられる座ぐり部（３４）が、前記係合部材の取付位置から後端面に亘って設けられ、
前記固定部材（３０）の前記係止凹部（３１）が、前記天板（８）の下面両側から側方に突出して前記座ぐり部内に挿入され、前記天板を前記一対の側板の上部にスライドさせて取り付けるときに、前記座ぐり部内をスライドして前記係合部材の前記嵌合部（３３）が嵌合することを特徴とする請求項１、２、４のいずれかに記載の外装ケース。
【発明の効果】
【００１４】
請求項１に記載の発明によれば、ほぼ楔形状の係止凹部を有する固定部材と、この固定部材の係止凹部にスライド可能に嵌合するほぼ楔形状の嵌合部を有する係合部材とを備え、固定部材と係合部材との一方を一対の側板の互いに対向する内面における天板の下面両側の下側に位置する箇所にそれぞれ取り付け、固定部材と係合部材との他方を天板の下面両側にそれぞれ取り付けたことにより、一対の側板の上部に天板をスライドさせて取り付けるときに、固定部材のほぼ楔形状の係止凹部の幅広部分から、係合部材のほぼ楔形状の嵌合部の先細部分が挿入するので、係止凹部に嵌合部を円滑にスライドさせて挿入することができると共に、係止凹部と嵌合部とを面接触状態で確実に嵌合させることができる。このため、係止凹部と嵌合部との一部に応力の集中を防ぐことができるので、固定部材および係合部材をコンパクトに形成しても、十分な強度を確保することができ、これにより一対の側板の上部に天板を取外し可能に強固に取り付けることができる。
【００１５】
請求項２に記載の発明によれば、ほぼ楔形状の係止凹部を有する固定部材と、この固定部材の係止凹部にスライド可能に嵌合するほぼ楔形状の嵌合部を有する係合部材と、天板の両側端部をガイドする化粧部を有する目隠し部材を備え、固定部材と係合部材との一方を一対の側板の互いに対向する内面における天板の下面両側の下側に位置する箇所にそれぞれ取り付け、固定部材と係合部材との他方を天板の下面両側にそれぞれ取り付け、目隠し部材を一対の側板の上部にそれぞれ取り付けたので、一対の側板の上部に天板をスライドさせて取り付けるときに、目隠し部材の化粧部によって天板の両側端部をガイドすることができる。この場合、例えば目隠し部材が一対の側板の互いに対向する内面にそれぞれ取り付けられ、化粧部が一対の側板の内面側に突出して側板の上端面と平行に設けられていれば、一対の側板の上部間に天板をスライドさせて挟み込んで取り付けるときに、化粧部によって天板の両側端部の上面をガイドすることができる。
【００１６】
このため、請求項１に記載の発明と同様、固定部材のほぼ楔形状の係止凹部に、係合部材のほぼ楔形状の嵌合部を円滑にスライドさせて挿入することができると共に、係止凹部と嵌合部とを面接触状態で確実に嵌合させることができる。このため、係止凹部と嵌合部との一部に応力の集中を防ぐことができるので、固定部材および係合部材をコンパクトに形成しても、十分な強度を確保することができ、これにより一対の側板の上部間に天板を取外し可能に強固に取り付けることができるほか、特に目隠し部材の化粧部によって天板と側板との間の隙間が外部に現れないように隠すことができるので、外装ケースのデザイン性が損なわれず、化粧部によって外装ケースのデザイン性を高めることができる。
【００１７】
請求項３に記載の発明によれば、一対の側板の互いに対向する内面に取り付けられる固定部材が、金属板を断面ほぼコ字状に折り曲げることにより前記係止凹部を形成し、この係止凹部の上辺部をほぼ水平に形成し、下辺部を前部側から後部側に向けて斜め下方に傾斜させて形成した構成で、天板の下面に取り付けられる係合部材が、金属板の一側部に嵌合部をほぼ垂直下方に折り曲げ、この嵌合部の下辺部を固定部材の係止凹部における下辺部と同じ傾斜で前部側から後部側に向けて斜め下方に傾斜させて形成した構成であることにより、一対の側板の上部に天板を取り付けるときに、天板を側板の後部側から前部側に向けてスライドさせると、係合部材の嵌合部における前端部の先細部分を固定部材の係止凹部における後部の上辺部と下辺部との幅広部分から挿入させることができ、これにより固定部材の係止凹部における上辺部と下辺部との間に係合部材の嵌合部を容易に且つ確実に挿入させることができる。
【００１８】
このため、固定部材の係止凹部における上辺部と下辺部との間に係合部材の嵌合部を円滑にスライドさせて面接触状態で確実に嵌合させることができ、これにより一対の側板の上部に天板を強固に取り付けることができる。特に、固定部材の係止凹部における上辺部がほぼ水平に形成され、係合部材の嵌合部の上辺部が天板の下面と平行に形成されているので、固定部材の係止凹部における上辺部と下辺部との間に係合部材の嵌合部が挿入してスライドするときに、ほぼ水平な係止凹部の上辺部と天板の下面と平行な嵌合部の上辺部とによって、天板が上下方向にほとんど変位することがなく、天板をほぼ水平にスライドさせることができ、これにより天板を一対の側板の上部間に正確に且つ確実に取り付けることができる。
【００１９】
請求項４に記載の発明によれば、天板の下面に取り付けられる固定部材が、金属板の一側部に断面ほぼコ字状の係止凹部を形成し、この係止凹部の上辺部を天板の下面に平行に形成し、下辺部を前部側から後部側に向けて斜め上方に傾斜させて形成した構成で、一対の側板の互いに対向する内面に取り付けられる係合部材が、金属板の上辺部をぼぼ水平に折り曲げ、この水平に折り曲げられた先端部に嵌合部をほぼ垂直下方に折り曲げ、この嵌合部の下辺部を固定部材の係止凹部における下辺部と同じ傾斜で前部側から後部側に向けて斜め上方に傾斜させて形成した構成であることにより、一対の側板の上部に天板を取り付けるときに、天板を側板の後部側から前部側に向けてスライドさせると、係合部材の嵌合部における前端部の先細部分を固定部材の係止凹部における後部の上辺部と下辺部との幅広部分から挿入させることができ、これにより固定部材の係止凹部における上辺部と下辺部との間に係合部材の嵌合部を容易に且つ確実に挿入させることができる。
【００２０】
このため、請求項３に記載の発明と同様、固定部材の係止凹部における上辺部と下辺部との間に係合部材の嵌合部を円滑にスライドさせて面接触状態で確実に嵌合させることができ、これにより一対の側板の上部に天板を強固に取り付けることができる。この場合にも、固定部材の係止凹部における上辺部が天板の下面と平行に形成され、係合部材の嵌合部の上辺部がほぼ水平に形成されているので、固定部材の係止凹部における上辺部と下辺部との間に係合部材の嵌合部が挿入してスライドするときに、天板の下面と平行な係止凹部の上辺部とほぼ水平な嵌合部の上辺部とによって、天板が上下方向にほとんど変位することがなく、天板をほぼ水平にスライドさせることができ、これにより天板を一対の側板の上部間に正確に且つ確実に取り付けることができる。
【００２１】
請求項５に記載の発明によれば、一対の側板の互いに対向する各内面に、固定部材が挿入して取り付けられる座ぐり部が、固定部材の取付位置から後端面に亘って設けられていることにより、固定部材が側板の内面から突出すことがなく、固定部材を側板の座ぐり部に埋め込んで取り付けることができる。また、係合部材の嵌合部が天板の下面両側から側方に突出して座ぐり部内に挿入し、天板を一対の側板の上部にスライドさせて取り付けるときに、係合部材の嵌合部が座ぐり部内をスライドして固定部材の係止凹部に嵌合するので、固定部材および係合部材の嵌合部が外装ケースの内部に突出して外装ケースの内部空間を制約することがなく、外装ケースの内部空間を十分に広く確保することができる。
【００２２】
このため、天板に取り付けられる係合部材が外装ケースの内部に突出するのを防ぐために、天板の下面に係合部材を埋め込むための取付凹部を設ける必要がないので、天板の厚みを薄く形成することができ、これにより外装ケース全体の軽量化および低コスト化を図ることができるほか、例えば外装ケースの内部に鍵盤装置を組み込むと共に、その鍵盤蓋を引出し可能に収納する際、固定部材および係合部材の嵌合部が外装ケース内に突出していないため、天板と鍵盤蓋との間に係合部材の板厚よりも少し広い隙間を設けるだけで良いので、天板と鍵盤蓋との間の隙間を狭くすることができ、これにより外装ケース全体をコンパクトに形成することができると共に、外装ケースのデザイン性をも高めることができる。
【００２３】
請求項６に記載の発明によれば、一対の側板の互いに対向する各内面に、係合部材が挿入して取り付けられる座ぐり部が、係合部材の取付位置から後端面に亘って設けられていることにより、係合部材が側板の内面から突出すことがなく、係合部材を側板の座ぐり部に埋め込んで取り付けることができる。また、固定部材の係止凹部が、天板の下面両側から側方に突出して座ぐり部内に挿入され、天板を一対の側板の上部にスライドさせて取り付けるときに、座ぐり部内をスライドして係合部材の嵌合部に嵌合するので、固定部材の係止凹部および係合部材が外装ケースの内部に突出して外装ケースの内部空間を制約することがなく、外装ケースの内部空間を十分に広く確保することができる。
【００２４】
このため、天板に取り付けられる固定部材が外装ケースの内部に突出するのを防ぐために、天板の下面に係合部材を埋め込むための取付凹部を設ける必要がないので、請求項５に記載の発明と同様、天板の厚みを薄く形成することができ、これにより外装ケース全体の軽量化および低コスト化を図ることができるほか、例えば外装ケースの内部に鍵盤装置を組み込むと共に、その鍵盤蓋を引出し可能に収納する際、固定部材の係止凹部および係合部材が外装ケース内に突出していないため、天板と鍵盤蓋との間に固定部材の板厚よりも少し広い隙間を設けるだけで良いので、天板と鍵盤蓋との間の隙間を狭くすることができ、これにより外装ケース全体をコンパクトに形成することができると共に、外装ケースのデザイン性をも高めることができる。
【発明を実施するための最良の形態】
【００２５】
（実施形態１）
以下、図１〜図１０を参照して、この発明の外装ケースを電子ピアノに適用した実施形態１について説明する。
図１はこの発明を適用した電子ピアノを示した断面図、図２はそのＡ−Ａ矢視における断面図、図３は図１の電子ピアノの楽器ケースを示した断面図、図４は図３のＢ−Ｂ矢視における断面図、図５は図３の楽器ケースから天板と背板とを取り外した状態の断面図、図６は図５のＣ−Ｃ矢視における断面図である。
この電子ピアノは、図１に示すように、外装ケースである楽器ケース１を備え、この楽器ケース１の内部に鍵盤装置２や鍵盤蓋３などの電子ピアノに必要な各種の部品が組み込まれるように構成されている。
【００２６】
すなわち、楽器ケース１は、図１〜図６に示すように、底板４と、この底板４の前部（図１では左側）に取り付けられた下前板５と、底板４の左右両側（図１では紙面の表裏側）にそれぞれ取り付けられた一対の側板６（図１〜図６では一方のみを示す）と、この一対の側板６の後部（図１は右側）に取り付けられた背板７と、一対の側板６の上部間に挟み込まれて取り付けられた天板８とからなり、底板４上に鍵盤装置２が取り付けられ、この鍵盤装置２の上方に鍵盤蓋３が引出し可能に取り付けられた構成になっている。
【００２７】
この場合、鍵盤装置２は、図１に示すように、白鍵および黒鍵が音階順に多数配列され、これら白鍵および黒鍵が下前板５の上側に突出した状態で底板４上に配置されている。また、鍵盤蓋３は、前蓋３ａと後蓋３ｂとからなり、これら前蓋３ａと後蓋３ｂとが蝶番３ｃによって折れ曲がるように連結され、これら前蓋３ａと後蓋３ｂとが一対の側板６の対向する内面にそれぞれ設けられた前側ガイドレール９と後側ガイドレール１０によって引出し可能にガイドされ、前蓋３ａと後蓋３ｂとが引き出されたときに、鍵盤装置２の上側を覆うように構成されている。
【００２８】
すなわち、前蓋３ａは、図１に示すように、その前部の下面両側にガイドローラ１１がそれぞれ設けられ、このガイドローラ１１が鍵盤装置２の上側に沿って配置された前側ガイドレール９によってガイドされ、鍵盤装置２を使用するときに前蓋３ａを後方に向けて移動させると、鍵盤装置２の上側から鍵盤装置２の後方に位置する天板８の下側にほぼ水平に収納され、これにより鍵盤装置２が上側に露出するように構成されている。なお、前側ガイドレール９は、図１および図２に示すように、互いに対向する各側板６の内面にくり抜かれた収納凹部１３ａ内にそれぞれ設けられている。
【００２９】
また、後蓋３ｂは、その後部の下面両側にガイド歯車１２がそれぞれ設けられ、このガイド歯車１２が鍵盤装置２の後部上側から鍵盤装置２の後部下側に亘って湾曲して設けられた後側ガイドレール１０のラック１０ａに噛み合ってガイドされ、鍵盤装置２を使用するときに後蓋３ｂを後方に向けて移動させると、蝶番３ｃで折れ曲がりながら鍵盤装置２の後部上側から円弧を描いて天板８の下側における背板７の内面側に沿ってほぼ垂直に起立した状態で収納されるようになっている。なお、後側ガイドレール１０およびそのラック１０ａも、図１および図２に示すように、各側板６の内面における後部側にくり抜かれた収納凹部１３ｂ内にそれぞれ設けられている。
【００３０】
ところで、楽器ケース１は、天板８が一対の側板６の前後方向におけるほぼ中間部、つまり鍵盤装置２のほぼ後端部の上方に位置する箇所から一対の側板６の後端部に亘って配置されると共に、この天板８が一対の側板６の上部間に取外し可能に挟み込まれて取り付けられるように構成されている。すなわち、一対の側板６の互いに対向する各内面における天板８の下面下側に位置する箇所には、図３〜図６に示すように、座ぐり溝１４が天板８に対応してそれぞれ設けられており、この座ぐり溝１４内には、図５に示すように、ほぼ楔形状の係止凹部１６を有する固定部材１５が皿ねじ１７によってそれぞれ取り付けられている。
【００３１】
また、天板８の下面両側には、図３、図４および図８に示すように、一対の側板６に取り付けられた各固定部材１５の係止凹部１６にスライド可能に嵌合するほぼ楔形状の嵌合部１９を有する係合部材１８が皿ねじ１７によってそれぞれ取り付けられている。また、一対の側板６の互いに対向する上部内面で、天板８の両側面に対応する箇所には、図３〜図６に示すように、天板８の前後方向の長さとほぼ同じ長さの目隠し部材２０が皿ねじ１７によって側板６の上端部に沿ってそれぞれ取り付けられている。なお、各皿ねじ１７は、その頭部が固定部材１５、係合部材１８、および目隠し部材２０にそれぞれ埋め込まれて、各部材１５、１８、２０の表面から突出しないようになっている。
【００３２】
この場合、固定部材１５は、図７（ａ）〜図７（ｃ）に示すように、ほぼ帯状の金属板を断面ほぼコ字状に折り曲げることにより、ほぼ楔形状の係止凹部１６が形成されている。すなわち、この係止凹部１６は、上辺部１６ａが側板６の内面側に向けてほぼ直角に折り曲げられ、これによりほぼ水平に形成され、下辺部１６ｂが前部側から後部側に向けて斜め下方に傾斜した状態で側板６の内面側に向けてほぼ直角に折り曲げられ、これにより上辺部１６ａと下辺部１６ｂとが上下に対向すると共に、その間隔が、前部側が狭く、後部側が次第に広くなるように形成されている。
【００３３】
また、この固定部材１５は、図７（ａ）〜図７（ｃ）に示すように、上辺部１６ａの前端部が下辺部１６ｂの前部よりも前側に延出され、これにより固定部材１５全体の強度を高めるように構成されている。そして、この固定部材１５は、図４および図５に示すように、係止凹部１６の上辺部１６ａと下辺部１６ｂとの対向する開口部分を側板６の内側に向けた状態で、座ぐり溝１４内に配置されて皿ねじ１７によってそれぞれ取り付けられている。この場合、固定部材１５が挿入して取り付けられる座ぐり溝１４は、図３および図４に示すように、固定部材１５の取付位置から側板６の後端面に亘って連続して形成されている。
【００３４】
係合部材１８は、図８および図９に示すように、ほぼ四角形状の金属板の一側部、つまり天板８の左右両側の各側部に、ほぼ楔形状の嵌合部１９がほぼ垂直下方に折り曲げられて形成された構成になっている。この嵌合部１８は、固定部材１５の係止凹部１６における上辺部１６ａと下辺部１６ｂとの間に挿入して嵌合するほぼ楔形状に形成されている。すなわち、この嵌合部１９は、図９（ａ）〜図９（ｃ）示すように、上辺部１９ａが天板８の下面と平行に形成され、下辺部１９ｂが固定部材１５の係止凹部１６における下辺部１６ｂと同じ傾斜で前部側から後部側に向けて斜め下方に傾斜して形成され、これにより全体がほぼ楔形状に形成されている。
【００３５】
また、この係合部材１８も、図９（ａ）〜図９（ｃ）に示すように、金属板の前端部１８ａが嵌合部１９の前部よりも前側に延出され、これにより係合部材１８全体の強度を高めるように構成されている。そして、この係合部材１８は、図８（ａ）〜図８（ｃ）に示すように、天板８の下面両側に配置されると共に、その一側部に設けられた嵌合部１９が天板８の両側端部から側方に突出し、この状態で皿ねじ１７によって天板８の下面に取り付けられている。このため、この係合部材１８は、図１０に示すように、天板８を一対の側板６の上部間にスライドさせて挟み込んで取り付けるときに、嵌合部１９が側板６の座ぐり溝１４内に後部側から挿入され、この状態で座ぐり溝１４内に沿って前側に向けてスライドして固定部材１５の係止凹部１６に嵌合するように構成されている。
【００３６】
目隠し部材２０は、図１〜図６に示すように、天板８の前後方向の長さと同じ長さのほぼ帯状板の上辺部に化粧部２１が形成された構成になっている。この化粧部２１は、側板６の内側に向けてほぼ直角に折り曲げられていると共に、その前端部が天板８の前端部に対応する傾斜部２１ａに形成されている。そして、この目隠し部材２０は、天板８の両側面に対応する側板６の上部内面、つまり座ぐり溝１４の上側に位置する側板６の内面に皿ねじ１７によって取り付けられ、これにより化粧部２１が側板６の内側に向けて突出した状態で側板６の上端面に沿って平行に配置されるように構成されている。
【００３７】
次に、このような楽器ケース１において天板８を一対の側板６の上部間に挟み込んで取り付ける場合について説明する。
まず、図５に示すように、底板４の前部に下前板を取り付けると共に、底板４の両側に一対の側板６を取り付ける。このときには、図５および図６に示すように、予め、一対の側板６の座ぐり溝１４内に固定部材１５を埋め込んだ状態で皿ねじ１７によって取り付けると共に、この座ぐり溝１４の上側に位置する側板６の内面に目隠し部材２０を配置すると共に、化粧部２１を側板６の上端面に沿ってほぼ平行に配置し、この状態で目隠し部材２０を皿ねじ１７によって側板６の内面に取り付ける。
【００３８】
なお、このときには、図１に示すように、一対の側板６の互いに対向する各内面における前側の収納凹部１３ａ内に前側ガイドレール９を取り付けると共に、後側の収納凹部１３ｂ内に後側ガイドレール１０を取り付ける。この状態で、底板４上に鍵盤装置２を配置すると共に、鍵盤蓋３の前蓋３ａのガイドローラ１２を前側ガイドレール９に装着し、後蓋３ｂのガイド歯車１３を後側ガイドレール１０のラック１０ａに噛み合わせて、鍵盤蓋３を引出し可能に組み込む。
【００３９】
一方、天板８は、一対の側板６に取り付ける前に、予め、図８（ａ）に示すように、その後部下面に背板７を取り付けると共に、天板８の下面両側に係合部材１８を皿ねじ１７によって取り付ける。このときには、図８（ａ）〜図８（ｃ）に示すように、係合部材１８のほぼ楔形状の嵌合部１９を天板８の両側端部から側方に突出させ、この状態で係合部材１８を皿ねじ１７によって天板８の下面に取り付ける。そして、図３に示すように、この天板８を一対の側板６の上部間に挟み込んで取り付けると共に、背板７を側板６の後部にビス２３によって取り付ける。
【００４０】
このときには、図１０に示すように、一対の側板６の上部間にその後方から天板８を挟み込むように挿入すると共に、側板６の上部内面に取り付けられた目隠し部材２０の化粧部２１で天板８の両側端部の上面をガイドしながら、天板８を前側に向けてスライドさせ、天板８に取り付けられた係合部材１８の嵌合部１９を側板６の内面に設けられた座ぐり溝１４内に挿入する。この状態で、天板８を更に前方に向けてスライドさせると、図３および図４に示すように、係合部材１８のほぼ楔形状の嵌合部１９が側板６の座ぐり溝１４内に取り付けられた固定部材１５のほぼ楔形状の係止凹部１６における上辺部１６ａと下辺部１６ｂとの間に挿入する。
【００４１】
すなわち、係合部材１８のほぼ楔形状の嵌合部１９における前端部の先細部分が固定部材１５のほぼ楔形状の係止凹部１６における後部の上辺部１６ａと下辺部１６ｂとの幅広部分から挿入するので、係合部材１８の嵌合部１９が固定部材１５の係止凹部１６における上辺部１６ａと下辺部１６ｂとの間に円滑に挿入して確実に嵌合する。この場合、固定部材１５の係止凹部１６における上辺部１６ａがほぼ水平に折り曲げられ、係合部材１８の嵌合部１９の上辺部１９ａが天板８の下面と平行に形成されているので、固定部材１５のほぼ楔形状の係止凹部１６の上辺部１６ａと係合部材１８のほぼ楔形状の嵌合部１９の上辺部１９ａとによって、天板８が上下方向にほとんど変位することがなく、目隠し部材２０の化粧部２１に沿って天板８がほぼ水平にスライドする。
【００４２】
そして、天板８の両側の前端部が目隠し部材２０における化粧部２１の傾斜部２１ａに当接し、係合部材１８のほぼ楔形状の嵌合部１８が固定部材１５のほぼ楔形状の係止凹部１６における上辺部１６ａと下辺部１６ｂとの間に挿入して面接触状態で嵌合すると、図３および図４に示すように、天板８が一対の側板６の上部間に強固に取り付けられる。この後、天板８に取り付けられた背板７を一対の側板６の後端部にビス２３によって取り付ける。このときには、予め、底板４に取付金具２４をビス２５で取り付け、この取付金具２４に背板７をビス２３で取り付ける。これにより、天板８が一対の側板６の上部間に取外し可能に強固に取り付けられる。
【００４３】
このように、この楽器ケース１によれば、一対の側板６の互いに対向する各内面で、且つ天板８の下面両側の下側に位置する箇所に、ほぼ楔形状の係止凹部１６を有する固定部材１５をそれぞれ取り付け、天板８の下面両側に、固定部材１５の係止凹部１６にスライド可能に嵌合するほぼ楔形状の嵌合部１９を有する係合部材１８をそれぞれ取り付け、且つ一対の側板６の互いに対向する上部内面に、側板６の内側に突出する化粧部２１が側板６の上端面と平行に設けられた目隠し部材２０をそれぞれ取り付けているので、一対の側板６の上部間に天板８をスライドさせて挟み込んで取り付けるときに、目隠し部材２０の化粧部２１によって天板８の両側端部の上面をガイドすることができる。
【００４４】
このため、天板８を一対の側板６の上部間に円滑にスライドさせて挿入することができ、一対の側板６にそれぞれ取り付けられた固定部材１５の係止凹部１６に、天板８の下面両側に取り付けられた係合部材１８の嵌合部１７を円滑にスライドさせながら嵌合させることができる。すなわち、このときには、一対の側板６にそれぞれ取り付けられた固定部材１５のほぼ楔形状の係止凹部１６の幅広部分から、天板８の下面両側に取り付けられた係合部材１８のほぼ楔形状の嵌合部１９の先細部分が挿入するので、係止凹部１６に嵌合部１９を円滑にスライドさせて挿入することができると共に、係止凹部１６と嵌合部１９とを面接触状態で確実に嵌合させることができる。
【００４５】
これにより、係止凹部１６と嵌合部１９との一部分に応力が集中するのを防ぐことができるので、固定部材１５および係合部材１８をコンパクトに形成しても、十分な強度を確保することができる。このため、一対の側板６の上部間に天板８を取外し可能に強固に取り付けることができる。この状態では、特に目隠し部材２０の化粧部２１によって天板８と側板６との間の隙間が外部に現れないように隠すことができ、これにより楽器ケース１のデザイン性が損なわれず、化粧部２１によって楽器ケース１のデザイン性を高めることができる。
【００４６】
この場合、特に固定部材１５は、ほぼ帯状の金属板を断面ほぼコ字状に折り曲げることによりほぼ楔形状の係止凹部１６が形成され、この係止凹部１６の上辺部１５ａがほぼ水平に形成され、下辺部１５ｂが前部側から後部側に向けて斜め下方に傾斜して形成された構成で、係合部材１８は、ほぼ四角形状の金属板の一側部にほぼ楔形状の嵌合部１９が垂直下方に折り曲げられ、この嵌合部１９の下辺部１９ｂが固定部材１５の係止凹部１６における下辺部１６ｂと同じ傾斜で前部側から後部側に向けて斜め下方に傾斜して形成された構成であることにより、一対の側板６の上部間に天板８を取り付けるときに、天板８を側板６の後部側から前部側に向けてスライドさせると、係合部材１８の嵌合部１９における前端部の先細部分が固定部材１５の係止凹部１６における後部の上辺部１５ａと下辺部１５ｂとの幅広部分から挿入するので、固定部材１５の係止凹部１６における上辺部と下辺部との間に係合部材１８の嵌合部１９を容易に且つ確実に挿入させることができる。
【００４７】
このため、固定部材１５の係止凹部１６における上辺部１６ａと下辺部１６ｂとの間に係合部材１８の嵌合部１９を円滑にスライドさせて面接触状態で確実に嵌合させることができ、これにより一対の側板６の上部間に天板８を強固に取り付けることができる。この場合、特に固定部材１５の係止凹部１６における上辺部１６ａがほぼ水平に折り曲げられ、係合部材１８の嵌合部１９の上辺部１９ａが天板８の下面と平行に形成されているので、係合部材１８の嵌合部１９が固定部材１５の係止凹部１６における上辺部１６ａと下辺部１６ｂとの間に挿入してスライドするときに、ほぼ水平な係止凹部１６の上辺部１６ａと天板８の下面と平行な嵌合部１９の上辺部１９ａとによって、天板８が上下方向にほとんど変位することがなく、目隠し部材２０の化粧部２１に沿って天板８を水平にスライドさせることができ、これにより天板８を一対の側板６の上部間に正確に且つ良好に取り付けることができる。
【００４８】
さらに、一対の側板６の各内面には、固定部材１５が挿入して取り付けられる座ぐり溝１４が、固定部材１５の取付位置から後端面に亘って設けられていることにより、固定部材１５が側板６の内面から突出すことがなく、固定部材１５を側板６の座ぐり溝１４に埋め込んで取り付けることができる。このため、係合部材１８の嵌合部１９が天板８の両側から側方に突出していても、座ぐり溝１４内に挿入し、この挿入した嵌合部１９が座ぐり溝１４内をスライドして固定部材１５の係止凹部１６に嵌合するので、固定部材１５および係合部材１８の嵌合部１９が楽器ケース１の内部に突出して楽器ケース１の内部空間を制約することがなく、楽器ケース１の内部空間を十分に広く確保することができる。
【００４９】
このため、天板８に取り付けられる係合部材１８が楽器ケース１の内部に突出するのを防ぐために、天板８の下面に係合部材１８を埋め込むための取付凹部を設ける必要がないので、天板８の板厚を薄く形成することができ、これにより楽器ケース１全体の軽量化および低コスト化を図ることができる。また、特に楽器ケース１の内部に鍵盤装置２を組み込むと共に、その鍵盤蓋３を引出し可能に収納する際、固定部材１５および係合部材１７の嵌合部１８が楽器ケース１内に突出していないため、図１および図２に示すように、天板８と鍵盤蓋３との間に係合部材１７の板厚よりも少し広い隙間を設ければ良いので、天板８と鍵盤蓋３との間の隙間を狭くすることができ、これにより楽器ケース１全体をコンパクトに形成することができると共に、楽器ケース１のデザイン性をも高めることができる。
【００５０】
（実施形態２）
次に、図１１〜図１３を参照して、この発明を電子ピアノに適用した実施形態２について説明する。なお、図１〜図１０に示された実施形態１と同一部分には同一符号を付して説明する。
この電子ピアノの楽器ケース１は、天板８を一対の側板６の上部間に取外し可能に挟み込んで取り付けるために、ほぼ楔形状の係止凹部３１を有する固定部材３０と、この固定部材３０の係止凹部３１にスライド可能に嵌合するほぼ楔形状の嵌合部３３を有する係合部材３２とを備えているほか、実施形態１と同様、天板８の両側端部をガイドする化粧部２１を有する目隠し部材２０を備えていると共に、一対の側板６の互いに対向する各内面における天板８の下面下側に位置する箇所に、座ぐり溝３４がそれぞれ設けられた構成になっている。
【００５１】
係合部材３２は、図１２（ａ）および図１２（ｃ）に示すように、金属板の上辺部がぼぼ水平に折り曲げられ、この水平に折り曲げられた先端部にほぼ楔形状の嵌合部３３がほぼ垂直下方に折り曲げられ、この嵌合部３３の下辺部３３ｂが前部側から後部側に向けて斜め上方に傾斜して形成されている。そして、この係合部材３２は、図１２（ａ）に示すように、側板６の座ぐり溝３４内に挿入されると共に、嵌合部３３の上辺部が座ぐり部３４の内側上面から下側に少し離れた状態で、座ぐり部３４内に配置されて皿ねじ１７によって取り付けられている。この場合、座ぐり部３４も、実施形態１と同様、係合部材３２の取付位置から側板６の後端部に亘って連続して形成されている。
【００５２】
固定部材３０は、図１２（ａ）および図１２（ｂ）に示すように、金属板の一側部に断面ほぼコ字状の係止凹部３１が形成され、この係止凹部３１の上辺部３１ａがほぼ水平に形成され、下辺部３１ｂが係合部材３２の嵌合部３３における下辺部３３ｂと同じ傾斜で前部側から後部側に向けて斜め上方に傾斜して形成され、これにより上辺部３１ａと下辺部３１ｂとの上下に対向する間隔が、後部側が狭く、前部側が次第に広くなるように形成されている。そして、この固定部材３１は、図１２（ａ）に示すように、天板８の下面両側に配置されると共に、係止凹部３１の開口部分を天板８の側方に向けた状態で、天板８の両側端部から側方に突出し、この状態で皿ねじ１７によって天板８の下面に取り付けられている。
【００５３】
このような楽器ケース１においても、一対の側板６の互いに対向する各内面で、且つ天板８の下面両側の下側に位置する箇所に、ほぼ楔形状の嵌合部３３を有する係合部材３２をそれぞれ取り付け、天板８の下面両側に、係合部材３２の嵌合部３３がスライド可能に嵌合するほぼ楔形状の係止凹部３１を有する固定部材３０をそれぞれ取り付け、且つ一対の側板６の互いに対向する上部内面に、側板６の内側に突出する化粧部２１が側板６の上端面と平行に設けられた目隠し部材２０をそれぞれ取り付けているので、実施形態１と同様、一対の側板６の上部間に天板８をスライドさせて挟み込んで取り付けるときに、目隠し部材２０の化粧部２１によって天板８の両側端部の上面をガイドすることができる。
【００５４】
このため、天板８を一対の側板６の上部間に円滑にスライドさせて挿入することができ、一対の側板６にそれぞれ取り付けられた係合部材３２の嵌合部３３を、天板８の下面両側に取り付けられた固定部材３０の係止凹部３１に円滑にスライドさせながら嵌合させることができる。このときには、一対の側板６にそれぞれ取り付けられた係合部材３２のほぼ楔形状の嵌合部３３の先細部分が、天板８の下面両側に取り付けられた固定部材３０のほぼ楔形状の係止凹部３１の幅広部分から挿入するので、係止凹部３１に嵌合部３３を円滑にスライドさせて確実に挿入することができると共に、係止凹部３１と嵌合部３３とを面接触状態で嵌合させることができる。
【００５５】
これにより、係止凹部３１と嵌合部３３との一部分に応力が集中するのを防ぐことができるので、固定部材３０および係合部材３２をコンパクトに形成しても、十分な強度を確保することができる。このため、一対の側板６の上部間に天板８を取外し可能に強固に取り付けることができる。また、この状態では、目隠し部材２０の化粧部２１によって天板８と側板６との間の隙間が外部に現れないように隠すことができるので、楽器ケース１のデザイン性が損なわれず、化粧部２１によって楽器ケース１のデザイン性を高めることができる。
【００５６】
この場合にも、一対の側板６の各内面には、係合部材３２が挿入して取り付けられる座ぐり溝３４が、係合部材３２の取付位置から後端面に亘って設けられていることにより、係合部材３２が側板６の内面から突出すことがなく、係合部材３２を側板６の座ぐり溝３４に埋め込んで取り付けることができる。このため、固定部材３０の係止凹部３１が天板８の下面両側から側方に突出していても、座ぐり溝３４内に挿入し、この挿入した係止凹部３１が座ぐり溝３４内をスライドして係合部材３２の嵌合部３３に嵌合するので、固定部材３０の係止凹部３１および係合部材３２が楽器ケース１の内部に突出して楽器ケース１の内部空間を制約することがなく、楽器ケース１の内部空間を十分に広く確保することができる。これにより、実施形態１と同様、天板８の板厚を薄く形成でき、楽器ケース１全体の軽量化および低コスト化を図ることができるほか、天板８と鍵盤蓋３との間の隙間を狭くでき、楽器ケース１全体をコンパクトに形成できる。
【００５７】
なお、上記実施形態では、一対の側板６の上部間に天板８を挟み込んで取り付ける場合について述べたが、これに限らず、一対の側板６の上端面の上に天板８の両端部を載せた状態で取り付けるようにしても良い。この場合には、必ずしも目隠し部材２０を設ける必要はないが、目隠し部材２０を設ける場合には、一対の側板６の上端面に目隠し部材２０を配置すると共に、化粧部２１をほぼ垂直上方に向け、この状態で目隠し部材２０を側板６の上端面に取り付ければ良い。このような構造でも、目隠し部材２０の化粧部２１で天板８の両端面をガイドすることができると共に、側板６の上端面と天板８の両側下面との間の隙間を隠すことができるので、上述した実施形態と同様の作用効果が得られる。
【００５８】
また、上記実施形態では、外装ケースとして、電子ピアノの楽器ケース１に適用した場合について述べたが、必ずしも電子ピアノである必要はなく、アコースティックピアノや電子オルガンなどの楽器にも適用することができるほか、家具などにも広く適用することができる。
【図面の簡単な説明】
【００５９】
【図１】この発明を適用した電子ピアノを示した断面図である。(実施形態１)
【図２】図１のＡ−Ａ矢視における断面図である。
【図３】図１の電子ピアノの楽器ケースを示した断面図である。
【図４】図１のＢ−Ｂ矢視における断面図である。
【図５】図３の楽器ケースから天板および背板を取外した状態を示した断面図である。
【図６】図５のＣ−Ｃ矢視における断面図である。
【図７】図５における固定部材を拡大して示し、（ａ）はその正面図、（ｂ）はその側面図、（ｃ）はその平面図である。
【図８】図３における天板およびこれに取り付けられた係合部材を示し、（ａ）はその正面図、（ｂ）はその要部を示した平面図、（ｃ）は（ａ）のＤ−Ｄ矢視における断面図である。
【図９】図８の係合部材を拡大して示し、（ａ）はその平面図、（ｂ）はその正面図、（ｃ）はその側面図である。
【図１０】図５において側板に天板を取り付ける状態を示した分解断面図である。
【図１１】この発明を適用した電子ピアノの楽器ケースを示した断面図である。(実施形態２)
【図１２】図１１の要部を拡大して示し、（ａ）は図１１のＥ−Ｅ矢視における分解断面図、（ｂ）は（ａ）の固定部材の斜視図、（ｃ）は（ａ）の係合部材の斜視図である。
【図１３】図１１において側板に天板を取り付ける状態を示した分解断面図である。
【符号の説明】
【００６０】
１  楽器ケース
４  底板
５  下前板
６  側板
７  背板
８  天板
１４、３４  座ぐり溝
１５、３０  固定部材
１６、３１  係止凹部
１６ａ、３１ａ  上辺部
１６ｂ、３１ｂ  下辺部
１８、３２  係合部材
１９、３３  嵌合部
１９ａ、３３ａ  上辺部
１９ｂ、３３ｂ  下辺部
２０  目隠し部材
２１  化粧部
【図１】
2006350056.tif 000003
【図２】
2006350056.tif 000004
【図３】
2006350056.tif 000005
【図４】
2006350056.tif 000006
【図５】
2006350056.tif 000007
【図６】
2006350056.tif 000008
【図７】
2006350056.tif 000009
【図８】
2006350056.tif 000010
【図９】
2006350056.tif 000011
【図１０】
2006350056.tif 000012
【図１１】
2006350056.tif 000013
【図１２】
2006350056.tif 000014
【図１３】
2006350056.tif 000015